(57)【要約】  本発明は、ダウンリンクデータをフィードバックする方法及び装置を開示し、処理時間が短縮されるときに、ダウンリンクデータをフィードバックするためのフィードバックタイミング情報を、ＵＥに適応させる。前記方法では、ＵＥの処理能力を決定し、前記処理能力は、受信したダウンリンクデータを再送するかどうかを決定するために前記ＵＥが受信したダウンリンクデータを処理することにかかる処理時間を指し、決定された処理能力に基づき、前記ＵＥが前記ダウンリンクデータをフィードバックするためのフィードバックタイミング情報を決定する。【選択図】  図１
2019528618.tif 000002
【特許請求の範囲】
【請求項１】
ユーザー機器ＵＥの処理能力を決定するステップと、
決定された処理能力に基づき、前記ＵＥが前記ダウンリンクデータをフィードバックするためのフィードバックタイミング情報を決定するステップとを備え、
前記処理能力は、受信したダウンリンクデータを再送するかどうかを決定するためにＵＥが受信したダウンリンクデータを処理するにかかる処理時間を指すことを特徴とするダウンリンクデータをフィードバックする方法。
【請求項２】
決定された処理能力に基づき、前記ＵＥが前記ダウンリンクデータをフィードバックするためのフィードバックタイミング情報を決定する場合、
前記処理能力に対応する処理時間が３個のサブフレームである場合、前記ＵＥが前記ダウンリンクデータをフィードバックするための第１フィードバックタイミング情報を決定し、前記第１フィードバックタイミング情報は、３ＧＰＰ ＬＴＥ Ｒｅｌ−１３及びその前のリリースに記載されたプロトコルにより定義されたフィードバックタイミング情報であり、
前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さいことを特徴とする請求項１に記載のダウンリンクデータをフィードバックする方法。
【請求項３】
前記処理能力に対応する処理時間が３個のサブフレームより小さければ、前記ＵＥが前記ダウンリンクデータをフィードバックするためのフィードバックタイミング情報を第２フィードバックタイミング情報として決定する場合、
前記処理能力に対応する処理時間が２個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０であり、
アップリンク-ダウンリンク構成情報に対応する構成番号が０であれば、ｎが３、４、８または９である場合、ｋは３であり、
アップリンク-ダウンリンク構成情報に対応する構成番号が１であれば、ｎが２または７である場合、ｋは３及び６でありｎが３または８である場合、ｋは３であり、
アップリンク-ダウンリンク構成情報に対応する構成番号が２であれば、ｎが２または７である場合、ｋは７、４、３及び６であり、
アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、
アップリンク-ダウンリンク構成情報に対応する構成番号が４であれば、ｎが２である場合、ｋは８、７、６及び１１であり、ｎが３である場合、ｋは６、５、４及び３であり、
アップリンク-ダウンリンク構成情報に対応する構成番号が５であれば、ｎが２である場合、ｋは、１２、９、８、７、５、４、３、１１及び６であり、
アップリンク-ダウンリンク構成情報に対応する構成番号が６であれば、ｎが２または７である場合、ｋは６であり、ｎが３または４である場合、ｋは４であり、ｎが８である場合、ｋは３であることを特徴とする請求項２に記載のダウンリンクデータをフィードバックする方法。
【請求項４】
前記処理能力に対応する処理時間が３個のサブフレームより小さければ、前記ＵＥが前記ダウンリンクデータをフィードバックするためのフィードバックタイミング情報を第２フィードバックタイミング情報として決定する場合、
前記処理能力に対応する処理時間が１個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０であり、
アップリンク-ダウンリンク構成情報に対応する構成番号が０であれば、ｎが２、３、７または８である場合、ｋは２であり、
アップリンク-ダウンリンク構成情報に対応する構成番号が１であれば、ｎが２または７である場合、ｋは３及び２であり、ｎが３または８である場合、ｋは２であり、
アップリンク-ダウンリンク構成情報に対応する構成番号が２であれば、ｎが２または７である場合、ｋは４、３、２及び６であり、
アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、
アップリンク-ダウンリンク構成情報に対応する構成番号が４であれば、ｎが２である場合、ｋは８、７、５及び６であり、ｎが３である場合、ｋは、５、４、３及び２であり、
アップリンク-ダウンリンク構成情報に対応する構成番号が５であれば、ｎが２である場合、ｋは９、８、７、５、４、３、２、１１及び６であり、
アップリンク-ダウンリンク構成情報に対応する構成番号が６であれば、ｎが２、３または、４である場合、ｋは３であり、ｎが７または８である場合、ｋは２であることを特徴とする請求項２に記載のダウンリンクデータをフィードバックする方法。
【請求項５】
決定された処理能力及び前記ＵＥ的アップリンク-ダウンリンク構成情報に基づき、前記ＵＥが前記ダウンリンクデータをフィードバックする場合の最大ハイブリッド自動再送要求（Ｈｙｂｒｉｄ  Ａｕｔｏｍａｔｉｃ  Ｒｅｐｅａｔ  Ｒｅｑｕｅｓｔ，  ＨＡＲＱ）プロセス数を決定することを特徴とする請求項１に記載のダウンリンクデータをフィードバックする方法。
【請求項６】
決定された処理能力及び前記ＵＥ的アップリンク-ダウンリンク構成情報に基づき、前記ＵＥが前記ダウンリンクデータをフィードバックする場合の最大ＨＡＲＱプロセス数を決定する場合、
前記処理能力に対応する処理時間が２個のサブフレームである場合、前記アップリンク-ダウンリンク構成情報に対応する構成番号が０であれば、前記最大ＨＡＲＱプロセス数が３であり、前記構成番号が１であれば、前記最大ＨＡＲＱプロセス数が５であり、前記構成番号が２であれば、前記最大ＨＡＲＱプロセス数が８であり、前記構成番号が３であれば、前記最大ＨＡＲＱプロセス数が７であり、前記構成番号が４であれば、前記最大ＨＡＲＱプロセス数は１０であり、前記構成番号が５であれば、前記最大ＨＡＲＱプロセス数が１３であり、前記構成番号が６であれば、前記最大ＨＡＲＱプロセス数が５であることを特徴とする請求項５に記載のダウンリンクデータをフィードバックする方法。
【請求項７】
決定された処理能力及び前記ＵＥ的アップリンク-ダウンリンク構成情報に基づき、前記ＵＥが前記ダウンリンクデータをフィードバックする場合の最大ＨＡＲＱプロセス数を決定する場合、
前記処理能力に対応する処理時間が１個のサブフレームである場合、前記アップリンク-ダウンリンク構成情報に対応する構成番号が０であれば、前記最大ＨＡＲＱプロセス数が２であり、前記構成番号が１であれば、前記最大ＨＡＲＱプロセス数が３であり、前記構成番号が２であれば、前記最大ＨＡＲＱプロセス数が６であり、前記構成番号が３であれば、前記最大ＨＡＲＱプロセス数が７であり、前記構成番号が４であれば、前記最大ＨＡＲＱプロセス数が８であり、前記構成番号が５であれば、前記最大ＨＡＲＱプロセス数が１２であり、前記構成番号が６であれば、前記最大ＨＡＲＱプロセス数が５であることを特徴とする請求項５に記載のダウンリンクデータをフィードバックする方法。
【請求項８】
前記ＵＥが前記ダウンリンクデータをフィードバックするためのフィードバックタイミング情報を決定した後、
構成番号がＬであるアップリンク-ダウンリンク構成の場合、アップリンクサブフレームｎにおいて、サブフレームｎ−ｋ＋１０βにおいて受信されたダウンリンクデータをフィードバックすれば、
サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬであるアップリンク-ダウンリンク構成の場合、アップリンクサブフレームｎにおいて送信されたフィードバック情報に対応するダウンリンクデータを送信するためのサブフレームを指し、
決定された前記同一サブフレームに対し、前記処理時間が３個のサブフレームであるＵＥと、フィードバック情報を送信する物理アップリンク制御チャネルＰＵＣＣＨの暗黙的なリソースを共有し、
決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定することを特徴とする請求項１に記載のダウンリンクデータをフィードバックする方法。
【請求項９】
決定された同一サブフレーム以外のサブフレームｎ−ｋ＋１０βのうちの他のサブフレームのいずれかに対して、事前定義されたルールでフィードバック情報を送信するためのＰＵＣＣＨの暗黙的なリソースを決定する場合、
決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおける物理ダウンリンク制御チャネル（ＰＤＣＣＨ）伝送に用いられる１番目の制御チャネルエレメント（ＣＣＥ）のインデックスに基づき、フィードバック情報を送信するためのＰＵＣＣＨの暗黙的なリソースを決定し、前記開始点は、前記処理時間が３個のサブフレームであるＵＥがフィードバック情報を送信するためのＰＵＣＣＨの暗黙的なリソースの開始点と異なることを特徴とする請求項８に記載のダウンリンクデータをフィードバックする方法。
【請求項１０】
ユーザー機器ＵＥの処理能力を決定する処理モジュールと、
決定された処理能力に基づき、前記ＵＥが前記ダウンリンクデータをフィードバックするためのフィードバックタイミング情報を決定するフィードバックモジュールとを備え、
前記処理能力は、受信したダウンリンクデータを再送するかどうかを決定するためにＵＥが受信したダウンリンクデータを処理するにかかる処理時間を指すことを特徴とするダウンリンクデータをフィードバックする装置。
【請求項１１】
前記フィードバックモジュールは、
前記処理能力に対応する処理時間が３個のサブフレームである場合、前記ＵＥが前記ダウンリンクデータをフィードバックするための第１フィードバックタイミング情報を決定し、前記第１フィードバックタイミング情報は、３ＧＰＰ ＬＴＥ Ｒｅｌ−１３及びその前のリリースに記載されたプロトコルにより定義されたフィードバックタイミング情報であり、
前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さいことを特徴とする請求項１０に記載のダウンリンクデータをフィードバックする装置。
【請求項１２】
前記フィードバックモジュールは、
前記処理能力に対応する処理時間が２個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０であり、
アップリンク-ダウンリンク構成情報に対応する構成番号が０であれば、ｎが３、４、８または９である場合、ｋは３であり、
アップリンク-ダウンリンク構成情報に対応する構成番号が１であれば、ｎが２または７である場合、ｋは３及び６でありｎが３または８である場合、ｋは３であり、
アップリンク-ダウンリンク構成情報に対応する構成番号が２であれば、ｎが２または７である場合、ｋは７、４、３及び６であり、
アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、
アップリンク-ダウンリンク構成情報に対応する構成番号が４であれば、ｎが２である場合、ｋは８、７、６及び１１であり、ｎが３である場合、ｋは６、５、４及び３であり、
アップリンク-ダウンリンク構成情報に対応する構成番号が５であれば、ｎが２である場合、ｋは、１２、９、８、７、５、４、３、１１及び６であり、
アップリンク-ダウンリンク構成情報に対応する構成番号が６であれば、ｎが２または７である場合、ｋは６であり、ｎが３または４である場合、ｋは４であり、ｎが８である場合、ｋは３であることを特徴とする請求項１１に記載のダウンリンクデータをフィードバックする装置。
【請求項１３】
前記フィードバックモジュールは、
前記処理能力に対応する処理時間が１個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０であり、
アップリンク-ダウンリンク構成情報に対応する構成番号が０であれば、ｎが２、３、７または８である場合、ｋは２であり、
アップリンク-ダウンリンク構成情報に対応する構成番号が１であれば、ｎが２または７である場合、ｋは３及び２であり、ｎが３または８である場合、ｋは２であり、
アップリンク-ダウンリンク構成情報に対応する構成番号が２であれば、ｎが２または７である場合、ｋは４、３、２及び６であり、
アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、
アップリンク-ダウンリンク構成情報に対応する構成番号が４であれば、ｎが２である場合、ｋは８、７、５及び６であり、ｎが３である場合、ｋは、５、４、３及び２であり、
アップリンク-ダウンリンク構成情報に対応する構成番号が５であれば、ｎが２である場合、ｋは９、８、７、５、４、３、２、１１及び６であり、
アップリンク-ダウンリンク構成情報に対応する構成番号が６であれば、ｎが２、３または、４である場合、ｋは３であり、ｎが７または８である場合、ｋは２であることを特徴とする請求項１１に記載のダウンリンクデータをフィードバックする装置。
【請求項１４】
決定された処理能力及び前記ＵＥ的アップリンク-ダウンリンク構成情報に基づき、前記ＵＥが前記ダウンリンクデータをフィードバックする場合の最大ハイブリッド自動再送要求（Ｈｙｂｒｉｄ  Ａｕｔｏｍａｔｉｃ  Ｒｅｐｅａｔ  Ｒｅｑｕｅｓｔ，  ＨＡＲＱ）プロセス数を決定するプロセス数決定モジュールをさらに備えることを特徴とする請求項１０に記載のダウンリンクデータをフィードバックする装置。
【請求項１５】
前記プロセス数決定モジュールは、
前記処理能力に対応する処理時間が２個のサブフレームである場合、前記アップリンク-ダウンリンク構成情報に対応する構成番号が０であれば、前記最大ＨＡＲＱプロセス数が３であり、前記構成番号が１であれば、前記最大ＨＡＲＱプロセス数が５であり、前記構成番号が２であれば、前記最大ＨＡＲＱプロセス数が８であり、前記構成番号が３であれば、前記最大ＨＡＲＱプロセス数が７であり、前記構成番号が４であれば、前記最大ＨＡＲＱプロセス数は１０であり、前記構成番号が５であれば、前記最大ＨＡＲＱプロセス数が１３であり、前記構成番号が６であれば、前記最大ＨＡＲＱプロセス数が５であることを特徴とする請求項１４に記載のダウンリンクデータをフィードバックする装置。
【請求項１６】
前記プロセス数決定モジュールは、
前記処理能力に対応する処理時間が１個のサブフレームである場合、前記アップリンク-ダウンリンク構成情報に対応する構成番号が０であれば、前記最大ＨＡＲＱプロセス数が２であり、
前記構成番号が１であれば、前記最大ＨＡＲＱプロセス数が３であり、前記構成番号が２であれば、前記最大ＨＡＲＱプロセス数が６であり、前記構成番号が３であれば、前記最大ＨＡＲＱプロセス数が７であり、前記構成番号が４であれば、前記最大ＨＡＲＱプロセス数が８であり、前記構成番号が５であれば、前記最大ＨＡＲＱプロセス数が１２であり、前記構成番号が６であれば、前記最大ＨＡＲＱプロセス数が５であることを特徴とする請求項１４に記載のダウンリンクデータをフィードバックする装置。
【請求項１７】
構成番号がＬであるアップリンク-ダウンリンク構成の場合、アップリンクサブフレームｎにおいて、サブフレームｎ−ｋ＋１０βにおいて受信されたダウンリンクデータをフィードバックすれば、
サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬであるアップリンク-ダウンリンク構成の場合、アップリンクサブフレームｎにおいて送信されたフィードバック情報に対応するダウンリンクデータを送信するためのサブフレームを指し、
決定された前記同一サブフレームに対し、前記処理時間が３個のサブフレームであるＵＥと、フィードバック情報を送信する物理アップリンク制御チャネルＰＵＣＣＨの暗黙的なリソースを共有し、
決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する、リソース決定モジュールをさらに備えることを特徴とする請求項１０に記載のダウンリンクデータをフィードバックする装置。
【請求項１８】
前記リソース決定モジュールは、
決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおける物理ダウンリンク制御チャネル（ＰＤＣＣＨ）伝送に用いられる１番目の制御チャネルエレメント（ＣＣＥ）のインデックスに基づき、フィードバック情報を送信するためのＰＵＣＣＨの暗黙的なリソースを決定し、前記開始点は、前記処理時間が３個のサブフレームであるＵＥがフィードバック情報を送信するためのＰＵＣＣＨの暗黙的なリソースの開始点と異なることを特徴とする請求項１７に記載のダウンリンクデータをフィードバックする装置。
【請求項１９】
メモリに格納されたプログラムを読み出して、ＵＥの処理能力を決定し、決定された処理能力に基づき、前記ＵＥが前記ダウンリンクデータをフィードバックするためのフィードバックタイミング情報を決定するプロセッサを備え、
前記処理能力は、受信したダウンリンクデータを再送するかどうかを決定するために前記ＵＥが受信したダウンリンクデータを処理することにかかる処理時間を指すことを特徴とするユーザー機器ＵＥ。
【請求項２０】
メモリに格納されたプログラムを読み出して、ＵＥの処理能力を決定し、決定された処理能力に基づき、前記ＵＥが前記ダウンリンクデータをフィードバックするためのフィードバックタイミング情報を決定するプロセッサを備え、
前記処理能力は、受信したダウンリンクデータを再送するかどうかを決定するために前記ＵＥが受信したダウンリンクデータを処理することにかかる処理時間を指すことを特徴とするネットワーク側装置。
【発明の詳細な説明】
【技術分野】
【０００１】
本発明は通信技術分野に関し、特に、ダウンリンクデータをフィードバックする方法及び装置に関する。
【背景技術】
【０００２】
移動体通信サービスに対する需要の増大にともない、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）などを含む多くの組織は、将来の移動体通信システムに要求されるユーザープレーン遅延のより高い性能を定義している。送信時間間隔（Ｔｒａｎｓｍｉｓｓｉｏｎ Ｔｉｍｅ Ｉｎｔｅｒｖａｌ，ＴＴＩ）（例えば、１ｍｓのＴＴＩ）を変更せず、ユーザー機器（ＵＥ）の処理能力を向上して処理時間を短縮することにより、ユーザープレーン遅延性能を改善する。
【０００３】
表１は、ロングタームエボリューション（Ｌｏｎｇ Ｔｅｒｍ Ｅｖｏｌｕｔｉｏｎ，ＬＴＥ）システムにおける時分割複信（Ｔｉｍｅ Ｄｉｖｉｓｉｏｎ Ｄｕｐｌｅｘｉｎｇ，ＴＤＤ）モードにおけるサブフレームのアップリンク-ダウンリンク構成を示し、ＴＤＤモードにおける無線フレームの長さは１０ミリ秒である。従来技術では、無線フレームごとに合計７つのサブフレームのアップリンク-ダウンリンク構成が定義されており、その構成にはそれぞれ０から６までの番号が付けられている。表１に示すように、Ｄはダウンリンクサブフレーム、Ｕはアップリンクサブフレーム、Ｓは特殊サブフレームである。
【０００４】
【表１】
2019528618.tif 000003
ＴＤＤモードのＬＴＥシステムでは、ＵＥは、ダウンリンクデータまたは特殊サブフレームｍでダウンリンクデータを受信し、ダウンリンクデータをｋ個のサブフレーム（ｋミリ秒）で処理して送信し、その後、アップリンクサブフレームにおいて、ダウンリンクデータが再送されるべきかどうかについてのフィードバックを行うことができる。ここで、フィードバックは肯定応答（Ａｃｋｎｏｗｌｅｄｇｅｍｅｎｔ，ＡＣＫ）フィードバック及び否定応答（Ｎｅｇａｔｉｖｅ Ａｃｋｎｏｗｌｅｄｇｅｍｅｎｔ，ＮＡＣＫ）フィードバックを含む。従来技術では、データを処理するための時間の長さは３個のサブフレーム（３ミリ秒）であり、データを送信するための時間の長さは、１個のサブフレーム（１ミリ秒）であるため、ダウンリンクで受信される。または、特別サブフレームｍの場合、フィードバックは、ダウンリンクまたは特殊サブフレームの後の４番目のサブフレーム（ｋ ＝ ４）で最も早く行われ、当該４番目のサブフレームがアップリンクサブフレームではない場合、フィードバックは、当該４番目のサブフレームの後の第１のアップリンクサブフレームにおいて行われてもよい。
【０００５】
このようにして、フィードバックは、複数のダウンリンクまたは特殊サブフレームｍにおいて受信されたダウンリンクデータについて、アップリンクサブフレームｎにおいて行われることが可能である。ここで、ｍ＝ ｎ−ｋ＋１０β（ｎ−ｋ＜−１０の場合、βは２である。-１０≦ｎ-ｋ＜０の場合、βは１である。ｎ−ｋ≧０の場合、βは０である）。表２は、処理時間が３個のサブフレームであるときの、それぞれのアップリンク-ダウンリンク構成におけるそれぞれのアップリンクサブフレームｎに対応するｋの可能な値を示す。従来技術におけるダウンリンクデータに対するフィードバックを行うためのフィードバックタイミング情報は、表２に従って決定され、フィードバック情報を送信するための物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）の暗黙的なリソースは、上位シグナリングを介して端末に指示される。
【０００６】
【表２】
2019528618.tif 000004
しかしながら、処理時間を短縮することによってユーザープレーン遅延性能が改善される場合、従来技術においてダウンリンクデータに対するフィードバックを行うためのフィードバックタイミング情報、およびフィードバックタイミング情報に従って示された暗黙的ＰＵＣＣＨリソースは、もう適用できない。
【０００７】
よって従来技術には、ダウンリンクデータをフィードバックするためのフィードバックタイミング情報は、ＵＥの処理時間が短縮されると適用できない問題点が存在する。
【発明の概要】
【発明が解決しようとする課題】
【０００８】
本発明の実施例は、ダウンリンクデータをフィードバックする方法及び装置を提供し、ダウンリンクデータをフィードバックするためのフィードバックタイミング情報は、ＵＥの処理時間が短縮されると適用できない従来の問題点を解決する。
【課題を解決するための手段】
【０００９】
本発明の実施例に係るダウンリンクデータをフィードバックする方法は、
ユーザー機器ＵＥの処理能力を決定するステップと、
決定された処理能力に基づき、前記ＵＥが前記ダウンリンクデータをフィードバックするためのフィードバックタイミング情報を決定するステップとを備え、
前記処理能力は、受信したダウンリンクデータを再送するかどうかを決定するために前記ＵＥが受信したダウンリンクデータを処理することにかかる処理時間を指す。
【００１０】
本発明の実施例に係るダウンリンクデータをフィードバックする装置は、
ユーザー機器ＵＥの処理能力を決定する処理モジュールと、
決定された処理能力に基づき、前記ＵＥが前記ダウンリンクデータをフィードバックするためのフィードバックタイミング情報を決定するフィードバックモジュールとを備え、
前記処理能力は、受信したダウンリンクデータを再送するかどうかを決定するために前記ＵＥが受信したダウンリンクデータを処理することにかかる処理時間を指す。
【００１１】
本発明の実施例に係るユーザー機器ＵＥは、
メモリに格納されたプログラムを読み出し、ＵＥの処理能力を決定し、決定された処理能力に基づき、前記ＵＥが前記ダウンリンクデータをフィードバックするためのフィードバックタイミング情報を決定するプロセッサを備え、
前記処理能力は、受信したダウンリンクデータを再送するかどうかを決定するために前記ＵＥが受信したダウンリンクデータを処理することにかかる処理時間を指す。
【００１２】
本発明の実施例に係るネットワーク側装置は、
メモリに格納されたプログラムを読み出し、ＵＥの処理能力を決定し、決定された処理能力に基づき、前記ＵＥが前記ダウンリンクデータをフィードバックするためのフィードバックタイミング情報を決定するプロセッサを備え、
前記処理能力は、受信したダウンリンクデータを再送するかどうかを決定するために前記ＵＥが受信したダウンリンクデータを処理することにかかる処理時間を指す。
【発明の効果】
【００１３】
本発明は以下の効果を奏する。
【００１４】
本発明の実施例の技術案によれば、ＵＥの異なる処理能力、すなわち、ＵＥが受信したダウンリンクデータを処理してダウンリンクデータを再送するか否かを決定することに係る処理時間の相違に従って、ダウンリンクデータをフィードバックするためのＵＥのためのフィードバックタイミング情報それぞれを決定する。このとき、ＵＥにおける処理時間が短くなると、ダウンリンクデータをフィードバックするためのフィードバックタイミング情報は適応的に変更され、ダウンリンクデータに対するフィードバックを完成して、ユーザープレーン遅延性能が改善される。
【００１５】
本発明の他の特徴および利点は、以下の説明に記載されており、明細書から部分的に明らかになり、または本発明の実施から理解されるようになる。本発明の目的および他の利点は、明細書、特許請求の範囲および図面において特に指摘された構造を使用して達成および取得することができる。
【００１６】
図面は、本発明のさらなる理解を提供するためであり、本明細書の一部を構成する。本発明を説明するために本発明の実施形態と共に役立つことを意図しているが、本発明をそれに限定することを意図しない。
【図面の簡単な説明】
【００１７】
【図１】本発明の実施例１に係るダウンリンクデータをフィードバックする方法のフローチャートである。
【図２】本発明の実施例２に係る技術案であり、ＵＥが３つのプロセスにおいて、ダウンリンクデータをフィードバックすることを示す図である。
【図３】本発明の実施例３に係る技術案であり、ＵＥが５つのプロセスにおいて、ダウンリンクデータをフィードバックすることを示す図である。
【図４】本発明の実施例４に係る技術案であり、ＵＥが８つのプロセスにおいて、ダウンリンクデータをフィードバックすることを示す図である。
【図５ａ】本発明の実施例５に係る技術案であり、ＵＥが７つのプロセスにおいて、ダウンリンクデータをフィードバックすることを示す図である。
【図５ｂ】処理時間が３個のサブフレームであるＵＥ及び本発明の実施例５に係る技術案であり、アップリンクサブフレーム２におけるフィードバックタイミングを示す図である。
【図５ｃ】本発明の実施例５に係るアップリンクサブフレーム２において、フィードバック情報を送信するためのＰＵＣＣＨの暗黙的なリソースを割り当てることを示す図である。
【図６】本発明の実施例６に係る技術案であり、ＵＥが１０個のプロセスにおいて、ダウンリンクデータをフィードバックすることを示す図である。
【図７】本発明の実施例７に係る技術案であり、ＵＥが１３個のプロセスの下でダウンリンクデータをフィードバックすることを示す図である。
【図８】本発明の実施例８に係る技術案であり、ＵＥが５つのプロセスにおいて、ダウンリンクデータをフィードバックすることを示す図である。
【図９】本発明の実施例９に係る技術案であり、ＵＥが２つのプロセスにおいて、ダウンリンクデータをフィードバックすることを示す図である。
【図１０】本発明の実施例１０に係る技術案では、ＵＥが３つのプロセスにおいて、ダウンリンクデータをフィードバックすることを示す図である。
【図１１】本発明の実施例１１に係る技術案であり、ＵＥが６個のプロセスの下でダウンリンクデータをフィードバックすることを示す図である。
【図１２】本発明の実施例１２に係る技術案であり、ＵＥが７つのプロセスにおいて、プロセス下でダウンリンクデータをフィードバックすることを示す図である。
【図１３】本発明の実施例１３に係る技術案であり、ＵＥが８つのプロセスにおいて、ダウンリンクデータをフィードバックすることを示す図である。
【図１４】本発明の実施例１４に係る技術案であり、ＵＥが１２個のプロセスにおいて、ダウンリンクデータをフィードバックすることを示す図である。
【図１５】本発明の実施例１５に係る技術案であり、ＵＥが５つのプロセスにおいて、ダウンリンクデータをフィードバックすることを示す図である。
【図１６ａ】本発明の実施例１６に係るダウンリンクデータをフィードバックする装置の構造図１である。
【図１６ｂ】本発明の実施例１６に係るダウンリンクデータをフィードバックする装置の構造図２である。
【図１６ｃ】本発明の実施例１６に係るダウンリンクデータをフィードバックする装置の構造図３である。
【図１６ｄ】本発明の実施例１６に係るダウンリンクデータをフィードバックする装置の詳しい構造図である。
【図１７】本発明の実施例１７に係るユーザー機器ＵＥの構造図である。
【図１８】本発明の実施例１８に係るネットワーク側装置の構造図である。
【発明を実施するための形態】
【００１８】
ＵＥの処理時間が短縮されるときに、ダウンリンクデータをフィードバックするのに用いられるフィードバックタイミング情報を適応させるための解決案を提供するために、本発明の実施形態はダウンリンクデータをフィードバックする方法を提供する。以下、図面を参照しながら本発明を説明する。記載される好ましい実施形態は、本発明を例示し説明することのみを意図しており、本発明をそれに限定することを意図していないことを理解されたい。本発明の実施形態、および実施形態における特徴は、互いに矛盾しない限り互いに組み合わせることができる。
【００１９】
実施例１
本発明の実施例１に係るダウンリンクデータをフィードバックする方法は図１に示すように、以下のステップを備える。
【００２０】
Ｓ１０１、ＵＥの処理能力を決定し、前記処理能力は、受信したダウンリンクデータを再送するかどうかを決定するために前記ＵＥが受信したダウンリンクデータを処理することにかかる処理時間を指す。
【００２１】
Ｓ１０２、決定された処理能力に基づき、前記ＵＥが前記ダウンリンクデータをフィードバックするためのフィードバックタイミング情報を決定する。
【００２２】
実際の実施では、ユーザー機器ＵＥ及びネットワーク側装置（例えば、基地局）の両方は、、本発明の第１の実施形態を実施する主体であることができる。
【００２３】
ＵＥが実施主体である場合、ＵＥは、自分処理能力及び異なる処理能力に対応するフィードバックタイミング情報に従って、自分に適用可能なフィードバックタイミング情報を決定する。
【００２４】
ネットワーク側装置が実施主体である場合、ＵＥによって報告された処理能力を受信し、ＵＥによって報告された処理能力に従ってＵＥに適用可能なフィードバックタイミング情報を決定することができる。具体的に、ネットワーク側装置は、ＵＥの処理能力に適応したそれぞれのアップリンク-ダウンリンク構成におけるすべてのフィードバックタイミング情報を直接ＵＥに送信することができ、またはＵＥに適用されるアップリンク-ダウンリンク構成及びアップリンク-ダウンリンク構成に対応するフィードバックタイミング情報をＵＥに通知することができる。
【００２５】
上記２つの特定の例の両方において、ＵＥの異なる処理能力、すなわち、ＵＥが受信したダウンリンクデータを処理してダウンリンクデータを再送するか否かを決定することに係る処理時間の相違に従って、ダウンリンクデータをフィードバックするためのＵＥのためのフィードバックタイミング情報それぞれを決定する。このとき、ＵＥにおける処理時間が短くなると、ダウンリンクデータをフィードバックするためのフィードバックタイミング情報は適応的に変更され、ダウンリンクデータに対するフィードバックを完成して、ユーザープレーン遅延性能が改善される。
【００２６】
具体的に、前記ステップＳ１０２では、前記処理能力に対応する処理時間が３個のサブフレームである場合、前記ＵＥが前記ダウンリンクデータをフィードバックするための第１フィードバックタイミング情報を決定し、前記第１フィードバックタイミング情報は、３ＧＰＰ ＬＴＥ Ｒｅｌ−１３（３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ Ｒｅｌｅａｓｅ １３）またはその前のリリースに記載されたプロトコルにより定義されたフィードバックタイミング情報である。前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さい。
【００２７】
実際の実施では、決定された処理能力に対応する処理時間が依然として３個のサブフレームである場合、依然として３ＧＰＰ ＬＴＥ Ｒｅｌ−１３及びその前のリリースに記載されたプロトコルにより定義されたフィードバックタイミング情報、すなわち表２から得られるフィードバックタイミング情報である。決定された処理能力に対応する処理時間が３個のサブフレームより小さい、即ち、ＵＥの処理時間が短縮される場合、ＵＥの処理時間に基づき、新しいフィードバックタイミング情報に基づき、ダウンリンクデータをフィードバックする。
処理能力に対応する処理時間が３個のサブフレームより小さい状況に、前記処理能力に対応する処理時間が２個のサブフレーム（２ミリ秒）である場合、伝送時間は１個のサブフレーム（１ミリ秒）であり、このとき、サブフレーム（ダウンリンクサブフレームまたは、特殊サブフレーム）ｍにおいて受信したダウンリンクデータに対し、早くて、ダウンリンクデータを受信した時点からの３番目のサブフレーム（ｋ＝３）においてフィードバックする。前記第３個のサブフレームがアップリンクサブフレームではなければ、前記第３個のサブフレーム後の１番目のアップリンクサブフレームにおいてフィードバックする。１つのアップリンクサブフレームｎにおいて、複数のサブフレーム（ダウンリンクサブフレームまたは、特殊サブフレーム）ｍにおいて受信したダウンリンクデータをフィードバックすることができ、ここで、ｍ＝ ｎ−ｋ＋１０β（ｎ＜ｋであれば、βは１であり、ｎ≧ｋであれば、βは０である）。表３は、処理時間が２個のサブフレームである場合、各アップリンク-ダウンリンク構成において、それぞれのアップリンクサブフレームｎに対応するｋを示す。
【００２８】
【表３】
2019528618.tif 000005
同様に、前記処理能力に対応する処理時間が１個のサブフレーム（１ミリ秒）であれば、サブフレーム（ダウンリンクサブフレームまたは、特殊サブフレーム）ｍにおいて受信したダウンリンクデータは、早くて、その後の３番目のサブフレーム（ｋ＝３）においてフィードバックされることができる。表４は、処理時間が１個のサブフレームである場合、各アップリンク-ダウンリンク構成において、それぞれのアップリンクサブフレームｎに対応するｋを示す。
【００２９】
【表４】
2019528618.tif 000006
表３及び表４により、処理時間が２個のサブフレームまたは、１個のサブフレームである場合、各アップリンク-ダウンリンク構成において、ＵＥダウンリンクデータをフィードバックするためのフィードバックタイミング情報を決定することがで、ダウンリンクデータのフィードバックを完成できることが明らかである。
【００３０】
さらに、本発明の実施例１に係る方法では、さらに、決定された処理能力及び前記ＵＥ的アップリンク-ダウンリンク構成情報に基づき、前記ＵＥが前記ダウンリンクデータをフィードバックする場合のＨＡＲＱ（Ｈｙｂｒｉｄ Ａｕｔｏｍａｔｉｃ Ｒｅｐｅａｔ ＲｅｑＵＥｓｔ，ＨＡＲＱ）プロセス数を決定する。
【００３１】
具体的に、決定されたフィードバックタイミング情報に基づいて、同様な処理能力及びアップリンク-ダウンリンク構成情報の場合の、ＵＥダウンリンクデータをフィードバックする最大ＨＡＲＱプロセス数を得られる。表５は、処理時間が２個のサブフレームである場合、各アップリンク-ダウンリンク構成に対し、例挙された最大ＨＡＲＱプロセス数を示す。表６は、処理時間が１個のサブフレームである場合、各アップリンク-ダウンリンク構成に対し、例挙された最大ＨＡＲＱプロセス数を示す。
【００３２】
【表５】
2019528618.tif 000007
【００３３】
【表６】
2019528618.tif 000008
このように、処理時間長が２サブフレームである場合に、それぞれのアップリンク-ダウンリンク構成に対し、複数のプロセスにおいてダウンリンクデータをフィードバックするためのＵＥの具体的なフローは、表３および表４に従って決定することができる。同様に、処理時間長が１サブフレームである場合のアップリンク-ダウンリンクそれぞれの構成に対し、複数のプロセスにおいてダウンリンクデータをフィードバックするためのＵＥの特定フローは、表４および表６に従って決定することができる。
【００３４】
さらに、前記ステップＳ１０２の後、構成番号がＬであるアップリンク-ダウンリンク構成の場合、アップリンクサブフレームｎにおいて、サブフレームｎ−ｋ＋１０βにおいて受信されたダウンリンクデータをフィードバックすれば、サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬ（Ｌは負でない整数である）であるアップリンク-ダウンリンク構成において、アップリンクサブフレームｎにおいて送信されたフィードバック情報に対応するダウンリンクデータを送信するためのサブフレーム（当該サブフレームは、アップリンクサブフレームｎにおいてフィードバックされたダウンリンクデータを送信するためのサブフレームであるか、または、アップリンクサブフレームｎにおいてフィードバックされたダウンリンクデータを送信するサブフレームである）である。決定された前記同一サブフレームに対し、フィードバック情報を送信するＰＵＣＣＨの暗黙的なリソースを前記処理時間が３個のサブフレームであるＵＥと、共有する。決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールで、フィードバック情報を送信するためのＰＵＣＣＨの暗黙的なリソースを決定する。
【００３５】
即ち、構成番号がＬであるアップリンク-ダウンリンク構成の場合、処理時間が３個のサブフレームより小さいＵＥに対して、サブフレームｍにおいて受信したダウンリンクデータを、アップリンクサブフレームｎにおいてフィードバックする一方、処理時間が３個のサブフレームであるＵＥに対し、当該サブフレームｍにおいて受信したダウンリンクデータを当該アップリンクサブフレームｎにおいてフィードバックすれば、当該サブフレームｍは、フィードバック情報を送信するＰＵＣＣＨの暗黙的なリソースを処理時間が３個のサブフレームであるＵＥと共有することができる。前記のような状況が存在しないサブフレームの場合、上位層シグナリングにより、決定ＰＵＣＣＨの暗黙的なリソースを決定するか、または、事前定義されたルールでＰＵＣＣＨの暗黙的なリソースを決定する。
【００３６】
具体的に、決定された同一サブフレーム以外のサブフレームｎ−ｋ＋１０βのうちの他のサブフレームのいずれかに対して、事前定義されたルールで、フィードバック情報を送信するためのＰＵＣＣＨの暗黙的なリソースを決定することは、具体的に、決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおいて物理ダウンリンク制御チャネル（Ｐｈｙｓｉｃａｌ Ｄｏｗｎｌｉｎｋ Ｃｏｎｔｒｏｌ Ｃｈａｎｎｅｌ，ＰＤＣＣＨ）伝送に用いられる１番目の制御チャネルエレメント（Ｃｏｎｔｒｏｌ Ｃｈａｎｎｅｌ Ｅｌｅｍｅｎｔ，ＣＣＥ）のインデックスに基づき、フィードバック情報を送信するためのＰＵＣＣＨの暗黙的なリソースを決定する前記開始点は、前記処理時間が３個のサブフレームであるＵＥがフィードバック情報を送信するためのＰＵＣＣＨの暗黙的なリソースの開始点と異なる。
【００３７】
上述のように、上記の例以外の他のサブフレームのうちの任意の１つについて、事前定義されたルールで新たなＰＵＣＣＨの暗黙的なリソースが決定されることができる。当該事前定義されたルールとしては、上位層シグナリングにより、新たなＰＵＣＣＨの開始点を決定し、当該開始点以及前記いずれかのサブフレーム、及びＰＤＣＣＨ伝送に用いられる１番目のＣＣＥのインデックスに基づき、新たなＰＵＣＣＨの暗黙的なリソースを決定する。
【００３８】
よって、本発明の実施例１に係るダウンリンクデータをフィードバックする方法によれば、処理時間が短縮されるときに、ダウンリンクデータをフィードバックするためのフィードバックタイミング情報をＵＥに適応させる。
【００３９】
以下、図面を参照しながら、実施例２〜実施例１４で本発明の実施例１に係る方法を詳しく説明する。
【００４０】
実施例２
ＵＥが受信したダウンリンクデータを処理する処理能力に対応する処理時間が２個のサブフレームであり、アップリンク-ダウンリンク構成情報に対応する構成番号が０である場合、アップリンクサブフレームｎにおいて、サブフレームｎ−ｋ＋１０βにおいて受信されたダウンリンクデータをフィードバックし、ｎが３、４、８または、９である場合、ｋは３であり、βは０である。
【００４１】
前記処理能力及びアップリンク-ダウンリンク構成情報に基づき、前記ＵＥが前記ダウンリンクデータをフィードバックする場合のＨＡＲＱプロセス数を３として決定する。
【００４２】
サブフレーム０、サブフレーム１、サブフレーム５及びサブフレーム６であり、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００４３】
図２は、本発明の実施例２に係る技術案における、ＵＥが３つのプロセスにおいて、ダウンリンクデータをフィードバックすることを示す図である。図に示されるＰＤＳＣＨ伝送フレームは、物理ダウンリンク共有チャネル（Ｐｈｙｓｉｃａｌ Ｄｏｗｎｌｉｎｋ Ｓｈａｒｅｄ Ｃｈａｎｎｅｌ，ＰＤＳＣＨ）伝送フレームである。
【００４４】
実施例３
ＵＥが受信したダウンリンクデータを処理する処理能力に対応する処理時間が２個のサブフレームであり、アップリンク-ダウンリンク構成情報に対応する構成番号が１である場合、アップリンクサブフレームｎにおいて、サブフレームｎ−ｋ＋１０βにおいて受信されたダウンリンクデータをフィードバックし、ｎが２または７である場合、ｋは３であり、及び６である。ｎが３または８である場合、ｋは３であり、ここで、ｎ＜ｋであれば、βは１であり、ｎ≧ｋであれば、βは０である。
【００４５】
前記処理能力及びアップリンク-ダウンリンク構成情報に基づき、前記ＵＥが前記ダウンリンクデータをフィードバックする場合のＨＡＲＱプロセス数を５として決定する。
【００４６】
サブフレーム１及びサブフレーム６について、フィードバック情報を送信するＰＵＣＣＨの暗黙的なリソースを、前記処理時間が３個のサブフレームであるＵＥとに共有する。
【００４７】
サブフレーム０、サブフレーム４、サブフレーム５及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００４８】
図３は、本発明の実施例３に係る、ＵＥが５つのプロセスにおいて、ダウンリンクデータをフィードバックすることを示す図である。
【００４９】
実施例４
ＵＥが受信したダウンリンクデータを処理する処理能力に対応する処理時間が２個のサブフレームであり、アップリンク-ダウンリンク構成情報に対応する構成番号が２である場合、アップリンクサブフレームｎにおいて、サブフレームｎ−ｋ＋１０βにおいて受信されたダウンリンクデータをフィードバックする。ｎが２または７である場合、ｋは７、４、３及び６であり、ここで、ｎ＜ｋであれば、βは１であり、ｎ≧ｋであれば、βは０である。
【００５０】
前記処理能力及びアップリンク-ダウンリンク構成情報に基づき、前記ＵＥが前記ダウンリンクデータをフィードバックする場合のＨＡＲＱプロセス数を８として決定する。
【００５１】
サブフレーム０、サブフレーム１、サブフレーム３、サブフレーム５、サブフレーム６及びサブフレーム８について、フィードバック情報を送信するＰＵＣＣＨの暗黙的なリソースと、前記処理時間が３個のサブフレームであるＵＥとに共有する。
【００５２】
サブフレーム４及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨ暗の黙的なリソースを決定する。
【００５３】
図４は、本発明の実施例４に係る、ＵＥが８つのプロセスにおいて、ダウンリンクデータをフィードバックすることを示す図である。
【００５４】
実施例５
ＵＥが受信したダウンリンクデータを処理する処理能力に対応する処理時間が２個のサブフレームであり、アップリンク-ダウンリンク構成情報に対応する構成番号が３である場合、アップリンクサブフレームｎにおいて、サブフレームｎ−ｋ＋１０βにおいて受信されたダウンリンクデータをフィードバックする。ｎが２である場合、ｋは７、５及び６であり、ｎが３である場合、ｋは５及び４であり、ｎが４である場合、ｋは４及び３であり、ここで、ｎ＜ｋであれば、βは１であり、ｎ≧ｋであれば、βは０である。
【００５５】
前記処理能力及びアップリンク-ダウンリンク構成情報に基づき、前記ＵＥが前記ダウンリンクデータをフィードバックする場合のＨＡＲＱプロセス数を７として決定する。
【００５６】
サブフレーム０、サブフレーム５、サブフレーム６及びサブフレーム８について、フィードバック情報を送信するＰＵＣＣＨの暗黙的なリソースを、前記処理時間が３個のサブフレームであるＵＥとに共有する。
【００５７】
サブフレーム１、サブフレーム７及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００５８】
図５ａは、本発明の実施例５に係る、ＵＥが７つのプロセスにおいて、プロセスの下でダウンリンクデータをフィードバックすることを示す図である。
【００５９】
図５ｂは、処理時間が３個のサブフレームであるＵＥ及び本発明の実施例５に係る技術案では、アップリンクサブフレーム２上のフィードバックタイミングを示す図である。図５ｃは、本発明の実施例５に係る、アップリンクサブフレーム２における、フィードバック情報を送信するためのＰＵＣＣＨの暗黙的なリソースの割り当てを示す図でる。図に示されたＰＵＳＣＨは、物理アップリンク共有チャネル（Ｐｈｙｓｉｃａｌ Ｕｐｌｉｎｋ Ｓｈａｒｅｄ Ｃｈａｎｎｅｌ，ＰＵＳＣＨ）である。
【００６０】
実施例６
ＵＥが受信したダウンリンクデータを処理する処理能力に対応する処理時間が２個のサブフレームであり、アップリンク-ダウンリンク構成情報に対応する構成番号が４である場合、アップリンクサブフレームｎにおいて、サブフレームｎ−ｋ＋１０βにおいて受信されたダウンリンクデータをフィードバックする。ｎが２である場合、ｋは８、７、６及び１１であり、ｎが３である場合、ｋは６、５、４及び３であり、ここで、ｎ＜ｋであれば、βは１であり、ｎ≧ｋであれば、βは０である。
【００６１】
前記処理能力及びアップリンク-ダウンリンク構成情報に基づき、前記ＵＥが前記ダウンリンクデータをフィードバックする場合のＨＡＲＱプロセス数を１０として決定する。
【００６２】
サブフレーム１、サブフレーム４、サブフレーム５、サブフレーム７、サブフレーム８及びサブフレーム９について、フィードバック情報を送信するＰＵＣＣＨの暗黙的なリソースと、前記処理時間が３個のサブフレームであるＵＥとに共有する。
【００６３】
サブフレーム０及びサブフレーム６について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００６４】
図６は、本発明の実施例６に係る、ＵＥが１０個のプロセスにおいて、ダウンリンクデータをフィードバックすることを示す図である。
【００６５】
実施例７
ＵＥが受信したダウンリンクデータを処理する処理能力に対応する処理時間が２個のサブフレームであり、アップリンク-ダウンリンク構成情報に対応する構成番号が５である場合、アップリンクサブフレームｎにおいて、サブフレームｎ−ｋ＋１０βにおいて受信されたダウンリンクデータをフィードバックする。ｎが２である場合、ｋは、１２、９、８、７、５、４、３、１１及び６であり、ここで、ｎ＜ｋであれば、βは１であり、ｎ≧ｋであれば、βは０である。
【００６６】
前記処理能力及びアップリンク-ダウンリンク構成情報に基づき、前記ＵＥが前記ダウンリンクデータをフィードバックする場合のＨＡＲＱプロセス数を１３として決定する。
【００６７】
サブフレーム０、サブフレーム１、サブフレーム３、サブフレーム４、サブフレーム５、サブフレーム６、サブフレーム７及びサブフレーム８について、フィードバック情報を送信するＰＵＣＣＨの暗黙的なリソースを、前記処理時間が３個のサブフレームであるＵＥとに共有する。
【００６８】
サブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００６９】
図７は、本発明の実施例７に係る、ＵＥが１３個のプロセスの下で、ダウンリンクデータをフィードバックすることを示す図である。
【００７０】
実施例８
ＵＥが受信したダウンリンクデータを処理する処理能力に対応する処理時間が２個のサブフレームであり、アップリンク-ダウンリンク構成情報に対応する構成番号が６である場合、アップリンクサブフレームｎにおいて、サブフレームｎ−ｋ＋１０βにおいて受信されたダウンリンクデータをフィードバックする。ｎが２または７である場合、ｋは６であり、ｎが３または４である場合、ｋは４であり、ｎが８である場合、ｋは３であり、ここで、ｎ＜ｋであれば、βは１であり、ｎ≧ｋであれば、βは０である。
【００７１】
前記処理能力及びアップリンク-ダウンリンク構成情報に基づき、前記ＵＥが前記ダウンリンクデータをフィードバックする場合のＨＡＲＱプロセス数を５として決定する。
【００７２】
サブフレーム０、サブフレーム１、サブフレーム５、サブフレーム６及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００７３】
図８は、本発明の実施例８に係る、ＵＥが５つのプロセスにおいて、ダウンリンクデータをフィードバックすることを示す図である。
【００７４】
実施例９
ＵＥが受信したダウンリンクデータを処理する処理能力に対応する処理時間が１個のサブフレームであり、アップリンク-ダウンリンク構成情報に対応する構成番号が０である場合、アップリンクサブフレームｎにおいて、サブフレームｎ−ｋ＋１０βにおいて受信されたダウンリンクデータをフィードバックする。ｎが２、３、７または８である場合、ｋは２であり、ここで、βは０であり、
前記処理能力及びアップリンク-ダウンリンク構成情報に基づき、前記ＵＥが前記ダウンリンクデータをフィードバックする場合のＨＡＲＱプロセス数を２として決定する。
【００７５】
サブフレーム０、サブフレーム１、サブフレーム５及びサブフレーム６について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００７６】
図９は、本発明の実施例９に係る、ＵＥが２つのプロセスにおいて、ダウンリンクデータをフィードバックすることを示す図である。
【００７７】
実施例１０
ＵＥが受信したダウンリンクデータを処理する処理能力に対応する処理時間が１個のサブフレームであり、アップリンク-ダウンリンク構成情報に対応する構成番号が１である場合、アップリンクサブフレームｎにおいて、サブフレームｎ−ｋ＋１０βにおいて受信されたダウンリンクデータをフィードバックする。ｎが２または７である場合、ｋは３及び２であり、ｎが３または８である場合、ｋは２であり、ここで、ｎ＜ｋであれば、βは１であり、ｎ≧ｋであれば、βは０である。
【００７８】
前記処理能力及びアップリンク-ダウンリンク構成情報に基づき、前記ＵＥが前記ダウンリンクデータをフィードバックする場合のＨＡＲＱプロセス数を３として決定する。
【００７９】
サブフレーム０、サブフレーム１、サブフレーム４、サブフレーム５、サブフレーム６及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００８０】
図１０は、本発明の実施例１０に係る、ＵＥが３つのプロセスにおいて、ダウンリンクデータをフィードバックすることを示す図である。
【００８１】
実施例１１
ＵＥが受信したダウンリンクデータを処理する処理能力に対応する処理時間が１個のサブフレームであり、アップリンク-ダウンリンク構成情報に対応する構成番号が２である場合、アップリンクサブフレームｎにおいて、サブフレームｎ−ｋ＋１０βにおいて受信されたダウンリンクデータをフィードバックする。ｎが２または７である場合、ｋは４、３、２及び６であり、ここで、ｎ＜ｋであれば、βは１であり、ｎ≧ｋであれば、βは０である。
【００８２】
前記処理能力及びアップリンク-ダウンリンク構成情報に基づき、前記ＵＥが前記ダウンリンクデータをフィードバックする場合のＨＡＲＱプロセス数を６として決定する。
【００８３】
サブフレーム１、サブフレーム３、サブフレーム６及びサブフレーム８について、フィードバック情報を送信するＰＵＣＣＨの暗黙的なリソースを、前記処理時間が３個のサブフレームであるＵＥとに共有する。
【００８４】
サブフレーム０、サブフレーム４、サブフレーム５及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００８５】
図１１は、本発明の実施例１１に係る、ＵＥが６個のプロセスの下で、ダウンリンクデータをフィードバックすることを示す図である。
【００８６】
実施例１２
ＵＥが受信したダウンリンクデータを処理する処理能力に対応する処理時間が１個のサブフレームであり、アップリンク-ダウンリンク構成情報に対応する構成番号が３である場合、アップリンクサブフレームｎにおいて、サブフレームｎ−ｋ＋１０βにおいて受信されたダウンリンクデータをフィードバックする。ｎが２である場合、ｋは７、５及び６であり、ｎが３である場合、ｋは５及び４であり、ｎが４である場合、ｋは４及び３であり、ここで、ｎ＜ｋであれば、βは１であり、ｎ≧ｋであれば、βは０であり、
前記処理能力及びアップリンク-ダウンリンク構成情報に基づき、前記ＵＥが前記ダウンリンクデータをフィードバックする場合のＨＡＲＱプロセス数を７として決定する。
【００８７】
サブフレーム０、サブフレーム５、サブフレーム６及びサブフレーム８について、フィードバック情報を送信するＰＵＣＣＨの暗黙的なリソースを、前記処理時間が３個のサブフレームであるＵＥとに共有する。
【００８８】
サブフレーム１、サブフレーム７及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００８９】
図１２は、本発明の実施例１２に係る、ＵＥが７つのプロセスにおいて、プロセスの下でダウンリンクデータをフィードバックすることを示す図である。
【００９０】
実施例１３
ＵＥが受信したダウンリンクデータを処理する処理能力に対応する処理時間が１個のサブフレームであり、アップリンク-ダウンリンク構成情報に対応する構成番号が４である場合、アップリンクサブフレームｎにおいて、サブフレームｎ−ｋ＋１０βにおいて受信されたダウンリンクデータをフィードバックする。ｎが２である場合、ｋは８、７、５及び６であり、ｎが３である場合、ｋは、５、４、３及び２であり、ここで、ｎ＜ｋであれば、βは１であり、ｎ≧ｋであれば、βは０である。
【００９１】
前記処理能力及びアップリンク-ダウンリンク構成情報に基づき、前記ＵＥが前記ダウンリンクデータをフィードバックする場合のＨＡＲＱプロセス数を８として決定する。
【００９２】
サブフレーム４、サブフレーム５、サブフレーム８及びサブフレーム９にうてい、フィードバック情報を送信するＰＵＣＣＨの暗黙的なリソースを、前記処理時間が３個のサブフレームであるＵＥとに共有する。
【００９３】
サブフレーム０、サブフレーム１、サブフレーム６及びサブフレーム７について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００９４】
図１３は、本発明の実施例１３に係る、ＵＥが８つのプロセスにおいて、ダウンリンクデータをフィードバックすることを示す図である。
【００９５】
実施例１４
ＵＥが受信したダウンリンクデータを処理する処理能力に対応する処理時間が１個のサブフレームであり、アップリンク-ダウンリンク構成情報に対応する構成番号が５である場合、アップリンクサブフレームｎにおいて、サブフレームｎ−ｋ＋１０βにおいて受信されたダウンリンクデータをフィードバックする。ｎが２である場合、ｋは９、８、７、５、４、３、２、１１及び６であり、ここで、ｎ＜ｋであれば、βは１であり、ｎ≧ｋであれば、βは０である。
【００９６】
前記処理能力及びアップリンク-ダウンリンク構成情報に基づき、前記ＵＥが前記ダウンリンクデータをフィードバックする場合のＨＡＲＱプロセス数を１２として決定する。
【００９７】
サブフレーム１、サブフレーム３、サブフレーム４、サブフレーム５、サブフレーム６、サブフレーム７及びサブフレーム８について、フィードバック情報を送信するＰＵＣＣＨの暗黙的なリソース前記処理時間が３個のサブフレームであるＵＥと共有する。
【００９８】
サブフレーム０及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【００９９】
図１４は、本発明の実施例１４に係る、ＵＥが１２個のプロセスにおいて、ダウンリンクデータをフィードバックすることを示す図である。
【０１００】
実施例１５
ＵＥが受信したダウンリンクデータを処理する処理能力に対応する処理時間が１個のサブフレームであり、アップリンク-ダウンリンク構成情報に対応する構成番号が６である場合、アップリンクサブフレームｎにおいて、サブフレームｎ−ｋ＋１０βにおいて受信されたダウンリンクデータをフィードバックし、ｎが２、３または４である場合、ｋは３であり、ｎが７または８である場合、ｋは２であり、ここで、ｎ＜ｋであれば、βは１であり、ｎ≧ｋであれば、βは０である。
【０１０１】
前記処理能力及びアップリンク-ダウンリンク構成情報に基づき、前記ＵＥが前記ダウンリンクデータをフィードバックする場合のＨＡＲＱプロセス数を５として決定する。
【０１０２】
サブフレーム０、サブフレーム１、サブフレーム５、サブフレーム６及びサブフレーム９について、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【０１０３】
図１５は、本発明の実施例１５に係る、ＵＥが５つのプロセスにおいて、ダウンリンクデータをフィードバックすることを示す図である。
【０１０４】
よって、本発明の実施例２〜実施例１５に係るダウンリンクデータをフィードバックする方法は、の処理時間が短縮されるときに、ダウンリンクデータをフィードバックするためのフィードバックタイミング情報をＵＥにの処理時間が短縮されるときに、ダウンリンクデータをフィードバックするためのフィードバックタイミング情報をＵＥに適応させる。
【０１０５】
実施例１６
同様な発明思想に基づき、本発明前記実施例に係るダウンリンクデータをフィードバックする方法に対応するように、本発明の実施例１６は、ダウンリンクデータをフィードバックする装置をさらに提供し、具体的な実施は、上記方法の実施例を参照でき、繰り返して説明しない。
【０１０６】
本発明の実施例１６に係るダウンリンクデータをフィードバックする装置の構成は、図１６ａに示すように、
ＵＥの処理能力を決定する処理モジュール１６０１と、
決定された処理能力に基づき、前記ＵＥが前記ダウンリンクデータをフィードバックするためのフィードバックタイミング情報を決定するフィードバックモジュール１６０２とを備える。
【０１０７】
前記処理能力は、受信したダウンリンクデータを再送するかどうかを決定するために前記ＵＥが受信したダウンリンクデータを処理することにかかる処理時間を指す。
【０１０８】
具体的に、フィードバックモジュール１６０２は、前記処理能力に対応する処理時間が３個のサブフレームである場合、前記ＵＥが前記ダウンリンクデータをフィードバックするための第１フィードバックタイミング情報を決定し、前記第１フィードバックタイミング情報は、３ＧＰＰ ＬＴＥ Ｒｅｌ−１３及びその前のリリースに記載されたプロトコルにより定義されたフィードバックタイミング情報であり、前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さい。
【０１０９】
具体的に、フィードバックモジュール１６０２は、前記処理能力に対応する処理時間が２個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０である。ここで、アップリンク-ダウンリンク構成情報に対応する構成番号が０であれば、ｎが３、４、８または９である場合、ｋは３であり、アップリンク-ダウンリンク構成情報に対応する構成番号が１であれば、ｎが２または７である場合、ｋは３及び６でありｎが３または８である場合、ｋは３であり、アップリンク-ダウンリンク構成情報に対応する構成番号が２であれば、ｎが２または７である場合、ｋは７、４、３及び６であり、アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、アップリンク-ダウンリンク構成情報に対応する構成番号が４であれば、ｎが２である場合、ｋは８、７、６及び１１であり、ｎが３である場合、ｋは６、５、４及び３であり、アップリンク-ダウンリンク構成情報に対応する構成番号が５であれば、ｎが２である場合、ｋは、１２、９、８、７、５、４、３、１１及び６であり、アップリンク-ダウンリンク構成情報に対応する構成番号が６であれば、ｎが２または７である場合、ｋは６であり、ｎが３または４である場合、ｋは４であり、ｎが８である場合、ｋは３である。
【０１１０】
具体的に、フィードバックモジュール１６０２は、前記処理能力に対応する処理時間が１個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０である。ここで、アップリンク-ダウンリンク構成情報に対応する構成番号が０であれば、ｎが２、３、７または８である場合、ｋは２であり、アップリンク-ダウンリンク構成情報に対応する構成番号が１であれば、ｎが２または７である場合、ｋは３及び２であり、ｎが３または８である場合、ｋは２であり、アップリンク-ダウンリンク構成情報に対応する構成番号が２であれば、ｎが２または７である場合、ｋは４、３、２及び６であり、アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、アップリンク-ダウンリンク構成情報に対応する構成番号が４であれば、ｎが２である場合、ｋは８、７、５及び６であり、ｎが３である場合、ｋは、５、４、３及び２であり、アップリンク-ダウンリンク構成情報に対応する構成番号が５であれば、ｎが２である場合、ｋは９、８、７、５、４、３、２、１１及び６であり、アップリンク-ダウンリンク構成情報に対応する構成番号が６であれば、ｎが２、３または、４である場合、ｋは３であり、ｎが７または８である場合、ｋは２である。
【０１１１】
さらに、本発明の実施例１６に係る装置は、図１６ｂに示すように、決定された処理能力及び前記ＵＥ的アップリンク-ダウンリンク構成情報に基づき、前記ＵＥが前記ダウンリンクデータをフィードバックする場合の最大ＨＡＲＱプロセス数を決定するプロセス数決定モジュール１６０３をさらに備える。
【０１１２】
具体的に、プロセス数決定モジュール１６０３は、前記処理能力に対応する処理時間が２個のサブフレームである場合、前記アップリンク-ダウンリンク構成情報に対応する構成番号が０であれば、前記最大ＨＡＲＱプロセス数が３であり、前記構成番号が１であれば、前記最大ＨＡＲＱプロセス数が５であり、前記構成番号が２であれば、前記最大ＨＡＲＱプロセス数が８であり、前記構成番号が３であれば、前記最大ＨＡＲＱプロセス数が７であり、前記構成番号が４であれば、前記最大ＨＡＲＱプロセス数は１０であり、前記構成番号が５であれば、前記最大ＨＡＲＱプロセス数が１３であり、前記構成番号が６であれば、前記最大ＨＡＲＱプロセス数が５である。
【０１１３】
具体的に、プロセス数決定モジュール１６０３は、前記処理能力に対応する処理時間が１個のサブフレームである場合、前記アップリンク-ダウンリンク構成情報に対応する構成番号が０であれば、前記最大ＨＡＲＱプロセス数が２であり、前記構成番号が１であれば、前記最大ＨＡＲＱプロセス数が３であり、前記構成番号が２であれば、前記最大ＨＡＲＱプロセス数が６であり、前記構成番号が３であれば、前記最大ＨＡＲＱプロセス数が７であり、前記構成番号が４であれば、前記最大ＨＡＲＱプロセス数が８であり、前記構成番号が５であれば、前記最大ＨＡＲＱプロセス数が１２であり、前記構成番号が６であれば、前記最大ＨＡＲＱプロセス数が５である。
【０１１４】
さらに、本発明の実施例１６に係る装置は、図１６ｃに示すように、構成番号がＬであるアップリンク-ダウンリンク構成の場合、アップリンクサブフレームｎにおいて、サブフレームｎ−ｋ＋１０βにおいて受信されたダウンリンクデータをフィードバックすれば、サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬであるアップリンク-ダウンリンク構成の場合、アップリンクサブフレームｎにおいて送信されたフィードバック情報に対応するダウンリンクデータを送信するためのサブフレームを指し、決定された前記同一サブフレームに対し、フィードバック情報を送信するＰＵＣＣＨの暗黙的なリソースを前記処理時間が３個のサブフレームであるＵＥと共有し、決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定するリソース決定モジュール１６０４をさらに備える。
【０１１５】
具体的に、リソース決定モジュール１６０４は、決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおけるＰＤＣＣＨ伝送に用いられる１番目のＣＣＥのインデックスに基づき、フィードバック情報を送信するためのＰＵＣＣＨの暗黙的なリソースを決定する。前記開始点は、前記処理時間が３個のサブフレームであるＵＥがフィードバック情報を送信するためのＰＵＣＣＨの暗黙的なリソースの開始点と異なる。
【０１１６】
図１６ｄは、本発明の実施例１６に係るダウンリンクデータをフィードバックする装置の構成図である。
【０１１７】
よって、本発明の実施例１６に係るダウンリンクデータをフィードバックする装置は、処理時間が短縮されるときに、ダウンリンクデータをフィードバックするためのフィードバックタイミング情報をＵＥにの処理時間が短縮されるときに、ダウンリンクデータをフィードバックするためのフィードバックタイミング情報をＵＥに適応させる。
【０１１８】
実施例１７
本発明の実施例１７に係るユーザー機器ＵＥは、図１７に示すように、プロセッサ１７０１を備える。
【０１１９】
前記プロセッサ１７０１は、メモリ１７０２に格納されたプログラムを読み出し、ＵＥの処理能力を決定し、前記処理能力は、受信したダウンリンクデータを再送するかどうかを決定するために前記ＵＥが受信したダウンリンクデータを処理することにかかる処理時間を指し、
決定された処理能力に基づき、前記ＵＥが前記ダウンリンクデータをフィードバックするためのフィードバックタイミング情報を決定する。
【０１２０】
具体的に、プロセッサ１７０１は、前記処理能力に対応する処理時間が３個のサブフレームである場合、前記ＵＥが前記ダウンリンクデータをフィードバックするための第１フィードバックタイミング情報を決定する。前記第１フィードバックタイミング情報は、３ＧＰＰ ＬＴＥ Ｒｅｌ−１３及びその前のリリースに記載されたプロトコルにより定義されたフィードバックタイミング情報であり、前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さい。
【０１２１】
具体的に、プロセッサ１７０１は、前記処理能力に対応する処理時間が２個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０である。ここで、アップリンク-ダウンリンク構成情報に対応する構成番号が０であれば、ｎが３、４、８または９である場合、ｋは３であり、アップリンク-ダウンリンク構成情報に対応する構成番号が１であれば、ｎが２または７である場合、ｋは３及び６でありｎが３または８である場合、ｋは３であり、アップリンク-ダウンリンク構成情報に対応する構成番号が２であれば、ｎが２または７である場合、ｋは７、４、３及び６であり、アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、アップリンク-ダウンリンク構成情報に対応する構成番号が４であれば、ｎが２である場合、ｋは８、７、６及び１１であり、ｎが３である場合、ｋは６、５、４及び３であり、アップリンク-ダウンリンク構成情報に対応する構成番号が５であれば、ｎが２である場合、ｋは、１２、９、８、７、５、４、３、１１及び６であり、アップリンク-ダウンリンク構成情報に対応する構成番号が６であれば、ｎが２または７である場合、ｋは６であり、ｎが３または４である場合、ｋは４であり、ｎが８である場合、ｋは３である。
【０１２２】
具体的に、プロセッサ１７０１は、前記処理能力に対応する処理時間が１個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０である。ここで、アップリンク-ダウンリンク構成情報に対応する構成番号が０であれば、ｎが２、３、７または８である場合、ｋは２であり、アップリンク-ダウンリンク構成情報に対応する構成番号が１であれば、ｎが２または７である場合、ｋは３及び２であり、ｎが３または８である場合、ｋは２であり、アップリンク-ダウンリンク構成情報に対応する構成番号が２であれば、ｎが２または７である場合、ｋは４、３、２及び６であり、アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、アップリンク-ダウンリンク構成情報に対応する構成番号が４であれば、ｎが２である場合、ｋは８、７、５及び６であり、ｎが３である場合、ｋは、５、４、３及び２であり、アップリンク-ダウンリンク構成情報に対応する構成番号が５であれば、ｎが２である場合、ｋは９、８、７、５、４、３、２、１１及び６であり、アップリンク-ダウンリンク構成情報に対応する構成番号が６であれば、ｎが２、３または、４である場合、ｋは３であり、ｎが７または８である場合、ｋは２である。
【０１２３】
さらに、プロセッサ１７０１は、決定された処理能力及び前記ＵＥ的アップリンク-ダウンリンク構成情報に基づき、前記ＵＥが前記ダウンリンクデータをフィードバックする場合の最大ＨＡＲＱプロセス数を決定する。
【０１２４】
具体的に、プロセッサ１７０１は、前記処理能力に対応する処理時間が２個のサブフレームである場合、前記アップリンク-ダウンリンク構成情報に対応する構成番号が０であれば、前記最大ＨＡＲＱプロセス数が３であり、前記構成番号が１であれば、前記最大ＨＡＲＱプロセス数が５であり、前記構成番号が２であれば、前記最大ＨＡＲＱプロセス数が８であり、前記構成番号が３であれば、前記最大ＨＡＲＱプロセス数が７であり、前記構成番号が４であれば、前記最大ＨＡＲＱプロセス数は１０であり、前記構成番号が５であれば、前記最大ＨＡＲＱプロセス数が１３であり、前記構成番号が６であれば、前記最大ＨＡＲＱプロセス数が５である。
【０１２５】
具体的に、プロセッサ１７０１は、前記処理能力に対応する処理時間が１個のサブフレームである場合、前記アップリンク-ダウンリンク構成情報に対応する構成番号が０であれば、前記最大ＨＡＲＱプロセス数が２であり、前記構成番号が１であれば、前記最大ＨＡＲＱプロセス数が３であり、前記構成番号が２であれば、前記最大ＨＡＲＱプロセス数が６であり、前記構成番号が３であれば、前記最大ＨＡＲＱプロセス数が７であり、前記構成番号が４であれば、前記最大ＨＡＲＱプロセス数が８であり、前記構成番号が５であれば、前記最大ＨＡＲＱプロセス数が１２であり、前記構成番号が６であれば、前記最大ＨＡＲＱプロセス数が５である。
【０１２６】
さらに、プロセッサ１７０１は、構成番号がＬであるアップリンク-ダウンリンク構成の場合、アップリンクサブフレームｎにおいて、サブフレームｎ−ｋ＋１０βにおいて受信されたダウンリンクデータをフィードバックすれば、サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬであるアップリンク-ダウンリンク構成の場合、アップリンクサブフレームｎにおいて送信されたフィードバック情報に対応するダウンリンクデータを送信するためのサブフレームを指し、決定された前記同一サブフレームに対し、フィードバック情報を送信するＰＵＣＣＨの暗黙的なリソースを前記処理時間が３個のサブフレームであるＵＥと共有し、決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【０１２７】
具体的に、プロセッサ１７０１は、決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおけるＰＤＣＣＨ伝送に用いられる１番目のＣＣＥのインデックスに基づき、フィードバック情報を送信するためのＰＵＣＣＨの暗黙的なリソースを決定し、前記開始点は、前記処理時間が３個のサブフレームであるＵＥがフィードバック情報を送信するためのＰＵＣＣＨの暗黙的なリソースの開始点と異なる。
【０１２８】
ここで、図１７において、バスアーキテクチャは、いずれ数の相互接続するバス及びブリッジを備える。具体的に、プロセッサ１７０１が代表となる１つまたは複数のプロセッサ及びメモリ１７０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。異なるユーザー設備に対し、ユーザーインターフェース１１７０３は、外部接続または内部接続に必要な設備のインターフェースであることもできる。接続する設備は、キーパッド、ディスプレー、スピーカー、マイクロホン、ジョイスティック等を備えるが、これに限られない。
【０１２９】
プロセッサ１７０１は、バズアーキテクチャ及び通常の処理を管理し、メモリ１７０２は、プロセッサ１７０１が動作する際に利用するデータを記憶することができる。
【０１３０】
実施例１８
本発明の実施例１８に係るネットワーク側装置は、図１８に示すように、プロセッサ１８０１を備える。
【０１３１】
前記プロセッサ１８０１は、メモリ１８０２に格納されたプログラムを読み出し、ＵＥの処理能力を決定し、前記処理能力は、受信したダウンリンクデータを再送するかどうかを決定するために前記ＵＥが受信したダウンリンクデータを処理することにかかる処理時間を指し、
決定された処理能力に基づき、前記ＵＥが前記ダウンリンクデータをフィードバックするためのフィードバックタイミング情報を決定する。
【０１３２】
具体的に、プロセッサ１８０１は、前記処理能力に対応する処理時間が３個のサブフレームである場合、前記ＵＥが前記ダウンリンクデータをフィードバックするための第１フィードバックタイミング情報を決定し、前記第１フィードバックタイミング情報は、３ＧＰＰ ＬＴＥ Ｒｅｌ−１３及びその前のリリースに記載されたプロトコルにより定義されたフィードバックタイミング情報であり、前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さい。
【０１３３】
具体的に、プロセッサ１８０１は、前記処理能力に対応する処理時間が２個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０である。ここで、アップリンク-ダウンリンク構成情報に対応する構成番号が０であれば、ｎが３、４、８または９である場合、ｋは３であり、アップリンク-ダウンリンク構成情報に対応する構成番号が１であれば、ｎが２または７である場合、ｋは３及び６でありｎが３または８である場合、ｋは３であり、アップリンク-ダウンリンク構成情報に対応する構成番号が２であれば、ｎが２または７である場合、ｋは７、４、３及び６であり、アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、アップリンク-ダウンリンク構成情報に対応する構成番号が４であれば、ｎが２である場合、ｋは８、７、６及び１１であり、ｎが３である場合、ｋは６、５、４及び３であり、アップリンク-ダウンリンク構成情報に対応する構成番号が５であれば、ｎが２である場合、ｋは、１２、９、８、７、５、４、３、１１及び６であり、アップリンク-ダウンリンク構成情報に対応する構成番号が６であれば、ｎが２または７である場合、ｋは６であり、ｎが３または４である場合、ｋは４であり、ｎが８である場合、ｋは３である。
【０１３４】
具体的に、プロセッサ１８０１は、前記処理能力に対応する処理時間が１個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０である。ここで、アップリンク-ダウンリンク構成情報に対応する構成番号が０であれば、ｎが２、３、７または８である場合、ｋは２であり、アップリンク-ダウンリンク構成情報に対応する構成番号が１であれば、ｎが２または７である場合、ｋは３及び２であり、ｎが３または８である場合、ｋは２であり、アップリンク-ダウンリンク構成情報に対応する構成番号が２であれば、ｎが２または７である場合、ｋは４、３、２及び６であり、アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、アップリンク-ダウンリンク構成情報に対応する構成番号が４であれば、ｎが２である場合、ｋは８、７、５及び６であり、ｎが３である場合、ｋは、５、４、３及び２であり、アップリンク-ダウンリンク構成情報に対応する構成番号が５であれば、ｎが２である場合、ｋは９、８、７、５、４、３、２、１１及び６であり、アップリンク-ダウンリンク構成情報に対応する構成番号が６であれば、ｎが２、３または、４である場合、ｋは３であり、ｎが７または８である場合、ｋは２である。
【０１３５】
さらに、プロセッサ１８０１は、決定された処理能力及び前記ＵＥ的アップリンク-ダウンリンク構成情報に基づき、前記ＵＥが前記ダウンリンクデータをフィードバックする場合の最大ＨＡＲＱプロセス数を決定する。
【０１３６】
具体的に、プロセッサ１８０１は、前記処理能力に対応する処理時間が２個のサブフレームである場合、前記アップリンク-ダウンリンク構成情報に対応する構成番号が０であれば、前記最大ＨＡＲＱプロセス数が３であり、前記構成番号が１であれば、前記最大ＨＡＲＱプロセス数が５であり、前記構成番号が２であれば、前記最大ＨＡＲＱプロセス数が８であり、前記構成番号が３であれば、前記最大ＨＡＲＱプロセス数が７であり、前記構成番号が４であれば、前記最大ＨＡＲＱプロセス数は１０であり、前記構成番号が５であれば、前記最大ＨＡＲＱプロセス数が１３であり、前記構成番号が６であれば、前記最大ＨＡＲＱプロセス数が５である。
【０１３７】
具体的に、プロセッサ１８０１は、前記処理能力に対応する処理時間が１個のサブフレームである場合、前記アップリンク-ダウンリンク構成情報に対応する構成番号が０であれば、前記最大ＨＡＲＱプロセス数が２であり、前記構成番号が１であれば、前記最大ＨＡＲＱプロセス数が３であり、前記構成番号が２であれば、前記最大ＨＡＲＱプロセス数が６であり、前記構成番号が３であれば、前記最大ＨＡＲＱプロセス数が７であり、前記構成番号が４であれば、前記最大ＨＡＲＱプロセス数が８であり、前記構成番号が５であれば、前記最大ＨＡＲＱプロセス数が１２であり、前記構成番号が６であれば、前記最大ＨＡＲＱプロセス数が５である。
【０１３８】
さらに、プロセッサ１８０１は、構成番号がＬであるアップリンク-ダウンリンク構成の場合、アップリンクサブフレームｎにおいて、サブフレームｎ−ｋ＋１０βにおいて受信されたダウンリンクデータをフィードバックすれば、サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬであるアップリンク-ダウンリンク構成の場合、アップリンクサブフレームｎにおいて送信されたフィードバック情報に対応するダウンリンクデータを送信するためのサブフレームを指し、決定された前記同一サブフレームに対し、フィードバック情報を送信するＰＵＣＣＨの暗黙的なリソースを前記処理時間が３個のサブフレームであるＵＥと共有し、決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する。
【０１３９】
具体的に、プロセッサ１８０１は、決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおけるＰＤＣＣＨ伝送に用いられる１番目のＣＣＥのインデックスに基づき、フィードバック情報を送信するためのＰＵＣＣＨの暗黙的なリソースを決定し、前記開始点は、前記処理時間が３個のサブフレームであるＵＥがフィードバック情報を送信するためのＰＵＣＣＨの暗黙的なリソースの開始点と異なる。
【０１４０】
ここで、図１８において、バスアーキテクチャは、いずれ数の相互接続するバス及びブリッジを備える。具体的に、プロセッサ１８０１が代表となる１つまたは複数のプロセッサ及びメモリ１８０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ１８０１は、バズアーキテクチャ及び通常の処理を管理し、メモリ１８０２は、プロセッサ１８０１が動作する際に利用するデータを記憶することができる。
【０１４１】
要約すると、本発明の実施形態による解決策では、ダウンリンクデータについてフィードバックするためのUEのためのフィードバックタイミング情報は、UEの異なる処理能力、すなわちダウンリンクデータを再送信するかどうかを決定するためにＵＥが受信ダウンリンクデータを処理するための異なる処理時間に従ってそれぞれ決定することができる。そしてこのとき、もしもＵＥにおける処理持続時間が短縮される場合、ダウンリンクデータに対するフィードバックを行うためのフィードバックタイミング情報が適用される。 そして、ダウンリンクデータに対してフィードバックが行われ、それにより、ユーザプレーンの遅延性能が改善される。
【０１４２】
本分野の技術者として、本発明の実施形態が、方法、システムまたは、コンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、１つまたは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１４３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または、他のプログラム可能なデータ処理装置設備の処理装置器に提供でき、コンピュータまたは、他のプログラム可能なデータ処理装置のプロセッサは、これらのコンピュータプログラム指令を実行し、フロー図における１つまたは複数のフローおよび／またはブロック図における１つまたは複数のブロックに指定する機能を実現する。
【０１４４】
これらのコンピュータプログラム指令は又、コンピュータまたは、他のプログラム可能なデータ処理装置を特定方式で動作させるコンピュータ読取記憶装置に記憶できる。これによって、指令を含む装置は当該コンピュータ読取記憶装置内の指令を実行でき、フロー図における１つまたは複数のフローおよび／またはブロック図における１つまたは複数のブロックに指定する機能を実現する。
【０１４５】
これらコンピュータプログラム指令はさらに、コンピュータまたは、他のプログラム可能なデータ処理装置設備に実装もできる。コンピュータプログラム指令が実装されたコンピュータまたは、他のプログラム可能設備は、１連の操作ステップを実行することによって、関連の処理を実現し、コンピュータまたは、他のプログラム可能な設備において実行される指令によって、フロー図における１つまたは複数のフローおよび／またはブロック図における１つまたは複数のブロックに指定する機能を実現する。
【０１４６】
上記の実施形態に記述された技術的な解決手段を改造し、または、その中の一部の技術要素を置換することもできる。そのような、改造と置換は本発明の各実施形態の技術の範囲から逸脱するとは見なされない。
【０１４７】
無論、当業者によって、上記した実施形態に記述された技術的な解決手段を改造し、または、その中の一部の技術要素を置換することもできる。そのような、改造と置換は本発明の各実施形態の技術の範囲から逸脱するとは見なされない。そのような改造と置換は、すべて本発明の請求の範囲に属する。  
【０１４８】
本出願は、２０１６年８月１２日に中国特許局に提出し、出願番号が２０１６１０６６５８７８.６であり、発明名称が「ダウンリンクデータをフィードバックする方法及び装置」との中国特許出願を基礎とする優先権を主張し、その開示の総てをここに取り込む。
【図１】
2019528618.tif 000009
【図２】
2019528618.tif 000010
【図３】
2019528618.tif 000011
【図４】
2019528618.tif 000012
【図５ａ】
2019528618.tif 000013
【図５ｂ】
2019528618.tif 000014
【図５ｃ】
2019528618.tif 000015
【図６】
2019528618.tif 000016
【図７】
2019528618.tif 000017
【図８】
2019528618.tif 000018
【図９】
2019528618.tif 000019
【図１０】
2019528618.tif 000020
【図１１】
2019528618.tif 000021
【図１２】
2019528618.tif 000022
【図１３】
2019528618.tif 000023
【図１４】
2019528618.tif 000024
【図１５】
2019528618.tif 000025
【図１６ａ】
2019528618.tif 000026
【図１６ｂ】
2019528618.tif 000027
【図１６ｃ】
2019528618.tif 000028
【図１６ｄ】
2019528618.tif 000029
【図１７】
2019528618.tif 000030
【図１８】
2019528618.tif 000031
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
ユーザー機器ＵＥの処理能力を決定するステップと、
決定された処理能力に基づき、前記ＵＥが前記ダウンリンクデータをフィードバックするためのフィードバックタイミング情報を決定するステップとを備え、
前記処理能力は、受信したダウンリンクデータを再送するかどうかを決定するためにＵＥが受信したダウンリンクデータを処理するにかかる処理時間を指すことを特徴とするダウンリンクデータをフィードバックする方法。
【請求項２】
決定された処理能力に基づき、前記ＵＥが前記ダウンリンクデータをフィードバックするためのフィードバックタイミング情報を決定する場合、
前記処理能力に対応する処理時間が３個のサブフレームである場合、前記ＵＥが前記ダウンリンクデータをフィードバックするための第１フィードバックタイミング情報を決定し、前記第１フィードバックタイミング情報は、３ＧＰＰ ＬＴＥ Ｒｅｌ−１３及びその前のリリースに記載されたプロトコルにより定義されたフィードバックタイミング情報であり、
前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さいことを特徴とする請求項１に記載のダウンリンクデータをフィードバックする方法。
【請求項３】
前記処理能力に対応する処理時間が３個のサブフレームより小さければ、前記ＵＥが前記ダウンリンクデータをフィードバックするためのフィードバックタイミング情報を第２フィードバックタイミング情報として決定する場合、
前記処理能力に対応する処理時間が２個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０であり、
アップリンク-ダウンリンク構成情報に対応する構成番号が０であれば、ｎが３、４、８または９である場合、ｋは３であり、
アップリンク-ダウンリンク構成情報に対応する構成番号が１であれば、ｎが２または７である場合、ｋは３及び６でありｎが３または８である場合、ｋは３であり、
アップリンク-ダウンリンク構成情報に対応する構成番号が２であれば、ｎが２または７である場合、ｋは７、４、３及び６であり、
アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、
アップリンク-ダウンリンク構成情報に対応する構成番号が４であれば、ｎが２である場合、ｋは８、７、６及び１１であり、ｎが３である場合、ｋは６、５、４及び３であり、
アップリンク-ダウンリンク構成情報に対応する構成番号が５であれば、ｎが２である場合、ｋは、１２、９、８、７、５、４、３、１１及び６であり、
アップリンク-ダウンリンク構成情報に対応する構成番号が６であれば、ｎが２または７である場合、ｋは６であり、ｎが３または４である場合、ｋは４であり、ｎが８である場合、ｋは３であることを特徴とする請求項２に記載のダウンリンクデータをフィードバックする方法。
【請求項４】
決定された処理能力及び前記ＵＥ的アップリンク-ダウンリンク構成情報に基づき、前記ＵＥが前記ダウンリンクデータをフィードバックする場合の最大ハイブリッド自動再送要求（Ｈｙｂｒｉｄ  Ａｕｔｏｍａｔｉｃ  Ｒｅｐｅａｔ  Ｒｅｑｕｅｓｔ，  ＨＡＲＱ）プロセス数を決定することを特徴とする請求項１に記載のダウンリンクデータをフィードバックする方法。
【請求項５】
決定された処理能力及び前記ＵＥ的アップリンク-ダウンリンク構成情報に基づき、前記ＵＥが前記ダウンリンクデータをフィードバックする場合の最大ＨＡＲＱプロセス数を決定する場合、
前記処理能力に対応する処理時間が２個のサブフレームである場合、前記アップリンク-ダウンリンク構成情報に対応する構成番号が０であれば、前記最大ＨＡＲＱプロセス数が３であり、前記構成番号が１であれば、前記最大ＨＡＲＱプロセス数が５であり、前記構成番号が２であれば、前記最大ＨＡＲＱプロセス数が８であり、前記構成番号が３であれば、前記最大ＨＡＲＱプロセス数が７であり、前記構成番号が４であれば、前記最大ＨＡＲＱプロセス数は１０であり、前記構成番号が５であれば、前記最大ＨＡＲＱプロセス数が１３であり、前記構成番号が６であれば、前記最大ＨＡＲＱプロセス数が５であることを特徴とする請求項４に記載のダウンリンクデータをフィードバックする方法。
【請求項６】
前記ＵＥが前記ダウンリンクデータをフィードバックするためのフィードバックタイミング情報を決定した後、
構成番号がＬであるアップリンク-ダウンリンク構成の場合、アップリンクサブフレームｎにおいて、サブフレームｎ−ｋ＋１０βにおいて受信されたダウンリンクデータをフィードバックすれば、
サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬであるアップリンク-ダウンリンク構成の場合、アップリンクサブフレームｎにおいて送信されたフィードバック情報に対応するダウンリンクデータを送信するためのサブフレームを指し、
決定された前記同一サブフレームに対し、前記処理時間が３個のサブフレームであるＵＥと、フィードバック情報を送信する物理アップリンク制御チャネルＰＵＣＣＨの暗黙的なリソースを共有し、
決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定することを特徴とする請求項１に記載のダウンリンクデータをフィードバックする方法。
【請求項７】
決定された同一サブフレーム以外のサブフレームｎ−ｋ＋１０βのうちの他のサブフレームのいずれかに対して、事前定義されたルールでフィードバック情報を送信するためのＰＵＣＣＨの暗黙的なリソースを決定する場合、
決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおける物理ダウンリンク制御チャネル（ＰＤＣＣＨ）伝送に用いられる１番目の制御チャネルエレメント（ＣＣＥ）のインデックスに基づき、フィードバック情報を送信するためのＰＵＣＣＨの暗黙的なリソースを決定し、前記開始点は、前記処理時間が３個のサブフレームであるＵＥがフィードバック情報を送信するためのＰＵＣＣＨの暗黙的なリソースの開始点と異なることを特徴とする請求項６に記載のダウンリンクデータをフィードバックする方法。
【請求項８】
ユーザー機器ＵＥの処理能力を決定する処理モジュールと、
決定された処理能力に基づき、前記ＵＥが前記ダウンリンクデータをフィードバックするためのフィードバックタイミング情報を決定するフィードバックモジュールとを備え、
前記処理能力は、受信したダウンリンクデータを再送するかどうかを決定するためにＵＥが受信したダウンリンクデータを処理するにかかる処理時間を指すことを特徴とするダウンリンクデータをフィードバックする装置。
【請求項９】
前記フィードバックモジュールは、
前記処理能力に対応する処理時間が３個のサブフレームである場合、前記ＵＥが前記ダウンリンクデータをフィードバックするための第１フィードバックタイミング情報を決定し、前記第１フィードバックタイミング情報は、３ＧＰＰ ＬＴＥ Ｒｅｌ−１３及びその前のリリースに記載されたプロトコルにより定義されたフィードバックタイミング情報であり、
前記処理能力に対応する処理時間が３個のサブフレームより小さい場合、前記ＵＥが前記ダウンリンクデータをフィードバックするための第２フィードバックタイミング情報を決定し、前記ＵＥが第２フィードバックタイミング情報により指示されたフィードバックタイミングで受信したダウンリンクデータをフィードバックするのにかかる最短時間は、第１フィードバックタイミング情報により指示されたフィードバックタイミングで受信したダウンリンクデータをフィードバックするのにかかる最短時間より小さいことを特徴とする請求項８に記載のダウンリンクデータをフィードバックする装置。
【請求項１０】
前記フィードバックモジュールは、
前記処理能力に対応する処理時間が２個のサブフレームである場合、アップリンクサブフレームｎにおいて、サブフレームｎ−ｋ＋１０βにおいて受信されたダウンリンクデータをフィードバックすることを決定し、ｎ＜ｋであれば、βは１であり、ｎ≧ｋであれば、βは０であり、
アップリンク-ダウンリンク構成情報に対応する構成番号が０であれば、ｎが３、４、８または９である場合、ｋは３であり、
アップリンク-ダウンリンク構成情報に対応する構成番号が１であれば、ｎが２または７である場合、ｋは３及び６でありｎが３または８である場合、ｋは３であり、
アップリンク-ダウンリンク構成情報に対応する構成番号が２であれば、ｎが２または７である場合、ｋは７、４、３及び６であり、
アップリンク-ダウンリンク構成情報に対応する構成番号が３であれば、ｎが２である場合、ｋは７、５及び６であり、ｎが３である場合、ｋは５及び４であり、ｎが４である場合、ｋは４及び３であり、
アップリンク-ダウンリンク構成情報に対応する構成番号が４であれば、ｎが２である場合、ｋは８、７、６及び１１であり、ｎが３である場合、ｋは６、５、４及び３であり、
アップリンク-ダウンリンク構成情報に対応する構成番号が５であれば、ｎが２である場合、ｋは、１２、９、８、７、５、４、３、１１及び６であり、
アップリンク-ダウンリンク構成情報に対応する構成番号が６であれば、ｎが２または７である場合、ｋは６であり、ｎが３または４である場合、ｋは４であり、ｎが８である場合、ｋは３であることを特徴とする請求項９に記載のダウンリンクデータをフィードバックする装置。
【請求項１１】
決定された処理能力及び前記ＵＥ的アップリンク-ダウンリンク構成情報に基づき、前記ＵＥが前記ダウンリンクデータをフィードバックする場合の最大ハイブリッド自動再送要求（Ｈｙｂｒｉｄ  Ａｕｔｏｍａｔｉｃ  Ｒｅｐｅａｔ  Ｒｅｑｕｅｓｔ，  ＨＡＲＱ）プロセス数を決定するプロセス数決定モジュールをさらに備えることを特徴とする請求項８に記載のダウンリンクデータをフィードバックする装置。
【請求項１２】
前記プロセス数決定モジュールは、
前記処理能力に対応する処理時間が２個のサブフレームである場合、前記アップリンク-ダウンリンク構成情報に対応する構成番号が０であれば、前記最大ＨＡＲＱプロセス数が３であり、前記構成番号が１であれば、前記最大ＨＡＲＱプロセス数が５であり、前記構成番号が２であれば、前記最大ＨＡＲＱプロセス数が８であり、前記構成番号が３であれば、前記最大ＨＡＲＱプロセス数が７であり、前記構成番号が４であれば、前記最大ＨＡＲＱプロセス数は１０であり、前記構成番号が５であれば、前記最大ＨＡＲＱプロセス数が１３であり、前記構成番号が６であれば、前記最大ＨＡＲＱプロセス数が５であることを特徴とする請求項１１に記載のダウンリンクデータをフィードバックする装置。
【請求項１３】
構成番号がＬであるアップリンク-ダウンリンク構成の場合、アップリンクサブフレームｎにおいて、サブフレームｎ−ｋ＋１０βにおいて受信されたダウンリンクデータをフィードバックすれば、
サブフレームｎ−ｋ＋１０βにおいて、３番目のフィードバックタイミング情報により指示されたサブフレームと同じであるサブフレームを決定し、前記３番目のフィードバックタイミング情報により指示されたサブフレームは、処理時間が３個のサブフレームであるＵＥに対して設計したフィードバックタイミングにおいて、構成番号がＬであるアップリンク-ダウンリンク構成の場合、アップリンクサブフレームｎにおいて送信されたフィードバック情報に対応するダウンリンクデータを送信するためのサブフレームを指し、
決定された前記同一サブフレームに対し、前記処理時間が３個のサブフレームであるＵＥと、フィードバック情報を送信する物理アップリンク制御チャネルＰＵＣＣＨの暗黙的なリソースを共有し、
決定された同一サブフレーム以外のサブフレームｎ−ｋ＋１０βのうちの他のサブフレームのいずれかに対して、上位層シグナリングにより指示されたフィードバック情報を送信するためのＰＵＣＣＨの暗黙的なリソースを決定するか、または、事前定義されたルールでフィードバック情報を送信するためのＰＵＣＣＨの暗黙的なリソースを決定する、リソース決定モジュールをさらに備えることを特徴とする請求項８に記載のダウンリンクデータをフィードバックする装置。
【請求項１４】
前記リソース決定モジュールは、
決定された同一サブフレーム以外のサブフレームｎ−ｋ＋１０βのうちの他のサブフレームのいずれかに対して、上位層シグナリングにより指示された前記ＰＵＣＣＨの暗黙的なリソースの開始点を決定し、前記開始点及び前記いずれかのサブフレームにおける物理ダウンリンク制御チャネル（ＰＤＣＣＨ）伝送に用いられる１番目の制御チャネルエレメント（ＣＣＥ）のインデックスに基づき、フィードバック情報を送信するためのＰＵＣＣＨの暗黙的なリソースを決定し、前記開始点は、前記処理時間が３個のサブフレームであるＵＥがフィードバック情報を送信するためのＰＵＣＣＨの暗黙的なリソースの開始点と異なることを特徴とする請求項８に記載のダウンリンクデータをフィードバックする装置。
【国際調査報告】
2019528618.tif 000032
2019528618.tif 000033
2019528618.tif 000034
2019528618.tif 000035